(57)【要約】【課題】絵文字等の特定文字を含むメールを受信した際に、当該特定文字に対応する音声データを決定し、当該音声データを出力する処理を行う携帯電話機を提供する。【解決手段】携帯電話機１００は、既定の絵文字コードと音声データを対応付ける操作を受付けるための画像を表示部１１０に表示させる表示制御部１５２と、ユーザによる入力部１２０の操作を受付け、受付けた絵文字コードと音声データを記憶部１６０に格納する設定部１５１と、無線部１４０が受信したメール中の絵文字コードを検出する絵文字検出部１５３と、検出された絵文字コードに対応する音声データを決定する着信音決定部１５４と、決定された音声データに基づく音声をスピーカ１８０に出力させるスピーカ駆動部１７０とを備える。【選択図】図１
2014147112.tif 000002
【特許請求の範囲】
【請求項１】
メールを受信する携帯電話機であって、
特定文字と音声データとを対応付けて記憶する記憶手段と、
メールを受信した場合に、当該メールを表示させるユーザ操作を待つことなく、当該メールにおいて前記特定文字を検出する検出手段と、
前記検出手段により前記特定文字が検出された場合には、前記記憶手段において、当該特定文字と対応付けられている音声データに基づく音声を、前記検出手段により前記特定文字が検出されなかった場合には、既定の音声データに基づく音声を、メールを受信した場合に報知する着信音として出力する出力制御手段とを備え、
前記メールは、メールヘッダに１種類以上の特定文字を複数含んでおり、
前記記憶手段は、前記特定文字の種類毎に対応する音声データを記憶し、
前記出力制御手段は、前記検出手段により検出されたメールヘッダの件名部分の最初の特定文字に対応する前記音声データを出力対象として決定し、当該音声データに基づく音声を、前記メールを受信した場合に報知する着信音として出力する
ことを特徴とする携帯電話機。
【請求項２】
前記特定文字の種類は複数あり、
前記検出手段は、複数種類の特定文字を検出し、検出した各特定文字の数を前記種類毎にカウントしており、
前記出力制御手段は、カウントされた特定文字の数が最大の特定文字に対応する音声データを出力対象として決定し、当該音声データに基づく音声を、前記メールを受信した場合に報知する着信音として出力する
ことを特徴とする請求項１記載の携帯電話機。
【請求項３】
前記記憶手段は、更に、前記音声データとその出力時間とを対応付けて記憶し、
前記出力制御手段は、記憶されている前記音声データとその出力時間とに基づき、決定した音声データに対応する前記出力時間だけ当該音声データに基づく音声を、前記メールを受信した場合に報知する着信音として出力する
ことを特徴とする請求項１記載の携帯電話機。
【請求項４】
前記出力制御手段は、決定した音声データに基づく音声を、当該音声データに対応する音量で、当該前記メールを受信した場合に報知する着信音として出力する
ことを特徴とする請求項１記載の携帯電話機。
【請求項５】
プログラムを実行可能な装置に、特定文字に対応する音声の出力を制御する処理を実行させるための制御プログラムであって、
特定文字と音声データとを対応付けて記憶する記憶ステップと、
メールを受信した場合に、当該メールを表示させるユーザ操作を待つことなく、当該メールにおいて前記特定文字を検出する検出ステップと、
前記検出ステップにより前記特定文字が検出された場合には、前記記憶ステップにおいて、当該特定文字と対応付けられている音声データに基づく音声を、前記検出ステップにより前記特定文字が検出されなかった場合には、既定の音声データに基づく音声を、メールを受信した場合に報知する着信音として出力する出力制御ステップとを含み、
前記メールはメールヘッダに１種類以上の特定文字を複数含んでおり、
前記記憶ステップは、前記特定文字の種類毎に対応する音声データを記憶し、
前記出力制御ステップは、前記検出ステップにより検出された、前記メールヘッダの件名部分の最初の特定文字に対応する前記音声データを出力対象として決定し、当該音声データに基づく音声を、前記メールを受信した場合に報知する着信音として出力する
ことを特徴とする制御プログラム。
【発明の詳細な説明】
【技術分野】
【０００１】
本発明は、携帯電話機に関し、特に、ＪＩＳ規格の文字、記号、特殊文字、及び各移動体通信事業者独自に規格されている絵文字等を含むメールを受信した際に、音声等で報知する技術に関する。
【背景技術】
【０００２】
従来の携帯電話機は、電話の着信やメールの受信時に、ユーザが好きなメロディや歌など(以下、「着信音」という)を鳴らして着信及び受信を報知することができ、更に、着信等の際に送信相手を特定できるように送信相手毎に着信音を設定することもできる(特許
文献１参照)。
また、ユーザは、携帯電話機で予め定められた絵文字を用いてメールを作成することもできる。例えば、ユーザは、これらの絵文字を用いて喜怒哀楽等の感情を表現することができ、メール内容を強調したり、表現力を高めたりすることができる。
【０００３】
このような絵文字が含まれたメールを受信したユーザは、メールの文字や絵文字などをディスプレイに表示させることによって、内容を確認し、絵文字により表現された送信者の感情等を推測することができる。
このように、絵文字を使ってメールを作成することにより相手に感情等を容易に伝えることができる為、文字より絵文字を多用するユーザも少なくない。
【先行技術文献】
【特許文献】
【０００４】
【特許文献１】特開平１０−１９０７７９号公報
【発明の概要】
【発明が解決しようとする課題】
【０００５】
しかし、例えば、返信を焦っていることを表す絵文字が含まれているメールを受信した場合、特許文献１の携帯電話機であれば、ユーザは着信音により送信相手を認識することはできるが、どのようなメールかまでは分からない為、すぐにメール内容を確認しないことがある。
そのため、特許文献１の携帯電話機の場合、受信したメールを表示させるまではどのようなメールか分からないという問題がある。
【０００６】
そこで、本発明は、かかる問題に鑑みてなされたものであり、メールを受信した際に、どのようなメールであるかを受信者に推測させうる携帯電話機を提供することを目的とする。
【課題を解決するための手段】
【０００７】
上記課題を解決するために、本発明に係る携帯電話機は、特定文字が含まれたメールを受信する携帯電話機であって、前記特定文字と音声データとを対応付けて記憶する記憶手段と、メールを受信した時、当該メールにおいて前記特定文字を検出する検出手段と、前記特定文字が検出された場合、前記音声データに基づく音声を出力する出力制御手段とを備える。
【０００８】
ここで、特定文字は、ＪＩＳ規格の文字、記号、特殊文字、及びこれらの文字を組合わせた文字のうちユーザによって特定された文字、移動体通信事業者毎に規格された絵文字等である。尚、絵文字は、移動体通信事業者において予め定めた文字コードで構成されて
いる。
また、前記メールは１種類以上の特定文字を複数含んでおり、前記記憶手段は、前記特定文字の種類毎に対応する音声データを記憶し、前記検出手段は、前記特定文字をメールの先頭から順に検出し、前記出力制御手段は、前記検出手段により最初に検出された特定文字に対応する前記音声データを出力対象として決定し、当該音声データに基づく音声を出力することとしてもよい。
【発明の効果】
【０００９】
上述の構成により、絵文字等の特定文字から表される意味と対応するように着信音等の音声データを記憶させている場合には、特定文字を含むメールを受信した際に、その特定文字に対応する音声データが出力されるので、ユーザは、メールを表示させなくても、メール受信時においてどのようなメール内容であるか聴覚によって推測することが可能となる。
【００１０】
また、前記特定文字の種類は複数あり、前記検出手段は、複数種類の特定文字を検出し、検出した各特定文字の数を前記種類毎にカウントしており、前記出力制御手段は、カウントされた特定文字の数が最大の特定文字に対応する音声データを出力対象として決定し、当該音声データに基づく音声を出力することとしてもよい。
上記構成によれば、例えば、受信したメール中に種類が異なる特定文字が複数含まれている場合に、検出された絵文字のうち、数が最も多い絵文字に対応する音声データを決定することができる。そのため、ユーザは、着信音によって受信メール中に多用されている絵文字に基づいて出力される着信音から、送信者の感情等を推測することができる。
【００１１】
また、前記メールは１種類以上の特定文字を複数含んでおり、前記記憶手段は、前記特定文字の種類毎に対応する音声データを記憶し、前記検出手段は、前記特定文字をメールの先頭から順に検出し、前記出力制御手段は、検出された各特定文字の種類に対応する前記音声データを出力対象として決定し、前記検出手段が検出した順に決定した各音声データに基づく音声を出力することとしてもよい。
【００１２】
上記構成によれば、例えば、受信したメール中に種類が異なる特定文字が複数含まれている場合に、特定文字が検出された順に、その各特定文字に対応する音声データを出力することができる。そのため、ユーザは、受信メール中に含まれる特定文字に表されるメール送信者の感情等を、各特定文字に基づいて出力される着信音から総合的に推測することができる。
【００１３】
また、前記特定文字の種類は複数あり、前記記憶手段は、前記特定文字を分類した複数のグループと、各グループに対応する音声データとを記憶しており、前記出力制御手段は、前記検出手段により検出された前記特定文字が属するグループに対応する前記音声データを出力対象として決定し、当該音声データに基づく音声を出力することとしてもよい。
上記構成によれば、例えば“喜び”を表すグループに属する絵文字が複数ある場合、送信者側のユーザは“喜び”を表す絵文字の選択肢が広がる。また、それらの絵文字がメールに複数含まれているときは、“喜び”に対応する音声データを出力することができるので、受信者側の携帯電話機において絵文字毎に対応する音声データを対応付けて記憶させる必要がなく、記憶容量を減らすことができる。
【００１４】
また、前記携帯電話機は、更に、前記特定文字を表示する表示手段と、前記表示手段によって前記特定文字が表示されている間に、音声データの選択を受付ける選択受付手段とを備え、前記記憶手段は、表示された特定文字と前記選択受付手段により受付けた音声データとを対応付けて記憶することとしてもよい。
上記構成によれば、特定文字を表示し、その特定文字に対応する音声データの選択を受
付けることができるので、ユーザは、ディスプレイに表示された絵文字等を視認しながら、その絵文字等が表す意味に合うように、所望する音声データをその絵文字に対応づける操作を行なうことができる。従って、メールを受信した際に、ユーザ自身が設定した絵文字に対応する着信音が出力されるので、容易にどのようなメールか推測することができる。
【００１５】
また、前記記憶手段は、更に、前記音声データとその出力時間とを対応付けて記憶し、前記出力制御手段は、記憶されている前記音声データとその出力時間とに基づき、決定した音声データに対応する前記出力時間だけ当該音声データに基づく音声を出力することとしてもよい。
上記構成によれば、例えば、ユーザが、特に報知の必要性が高い絵文字に対応する音声データの出力時間を他の音声データより長く設定しておくことにより、メールを受信した際に、その絵文字を含むメールを受信したことを強調して報知することができる。
【００１６】
また、前記メールは、メールヘッダデータと本文データとから構成されており、前記検出手段は、前記メールヘッダデータを受信した場合、当該メールヘッダデータにおいて前記特定文字を検出し、前記出力制御手段は、前記メールヘッダデータを受信した際に、検出された前記特定文字に対応する前記音声データを出力対象として決定し、当該音声データに基づく音声を出力することとしてもよい。
【００１７】
上記構成によれば、メールヘッダ部分は送信者が受信者に伝えたい内容を示す題目として用いられることが多いため、ユーザは、そのメールヘッダ部分を受信した際に、その中に含まれる絵文字に対応する着信音に基づいてメールの概要を推測することができる。
また、前記検出手段は、更に、前記本文データを受信した場合に、当該本文データにおいて前記特定文字を検出し、前記出力制御手段は、更に、前記本文データを受信した際に、検出された前記特定文字に対応する前記音声データを決定し、当該音声データに基づく音声を出力することとしてもよい。
【００１８】
上記構成によれば、例えば、メールヘッダ部分を有さないショートメール等の場合や、メールヘッダ部分に絵文字が入っていない場合でも、ユーザは、メール本文のデータを受信した際に、メール本文中に含まれる絵文字に対応する着信音に基づいてどのようなメールか推測することができる。
また、本発明に係る携帯電話機は、メールを受信する携帯電話機であって、文字の組み合わせパターンと、前記パターンに対応する音声データとを記憶する記憶手段と、メールを受信した時、当該メールにおいて前記パターンを検出する検出手段と、前記パターンが検出された場合、前記音声データに基づく音声を出力する出力制御手段とを備える。
【００１９】
上記構成によれば、例えば、ＪＩＳ規格の文字や記号を組み合わせることによって顔の表情等を表した顔文字等、送受信間で相互に組合せパターンを任意に設定しておくことが可能となる。
また、本発明に係る携帯電話機は、メールを受信する携帯電話機であって、画像データと音声データとを対応付けて記憶する記憶手段と、メールを受信した時、当該メールにおいて前記画像データを検出する検出手段と、前記画像データが検出された場合、前記音声データを出力する出力制御手段とを備える。
【００２０】
この構成によれば、例えば、通信事業者独自に規格された絵文字や、ＪＩＳ規格の文字等だけでなく、送受信者間で相互に保持するイメージデータがある場合には、そのイメージデータと音声データとを対応付けて記憶させておくことにより、そのイメージデータを含むメールを受信した際も、そのイメージデータに対応する音声データを出力することができる。
【図面の簡単な説明】
【００２１】
【図１】本発明の実施形態に係る携帯電話機１００の機能構成図である。
【図２】本発明の実施形態に係る携帯電話機１００に予め記憶されている絵文字データテーブル及び音声データテーブルの例を示す図である。
【図３】本発明の実施形態に係る携帯電話機１００に記憶されている着信音設定情報テーブルと、動作設定情報テーブルの例を示す図である。
【図４】本発明の実施形態に係る携帯電話機１００の着信音設定のための画面遷移例と、受信したメールの画面表示例を示す図である。
【図５】本発明の実施形態に係る携帯電話機１００の動作フロー図である。
【図６】本発明の実施形態に係る携帯電話機１００の外観図である。
【発明を実施するための形態】
【００２２】
＜実施形態１＞
以下、本発明の実施形態１に係る携帯電話機の概要について説明する。
＜概要＞
本実施形態に係る携帯電話機は、移動体通信事業者のサーバからアンテナを介してメールを受信し、移動体通信事業者において既定されている絵文字が当該メールに含まれている場合、当該メールを受信した際に、その絵文字に対応する着信音を鳴らすことにより報知する。
【００２３】
尚、絵文字は、移動体通信事業者毎の規格により既定された文字コード(以下、「絵文
字コード」と言う。)で示されるフォントデータに係る画像であり、携帯電話機は各絵文
字コードに対応するフォントデータを予め保持しているものとする。また、携帯電話機が受信したメールは、携帯電話機と同一の移動体通信事業者の携帯電話機によって送信されたものとする。
【００２４】
＜外観＞
図６は、本実施形態に係る携帯電話機の外観を示しており、携帯電話機１００は、ディスプレイ１１０、操作ボタン部１２０、アンテナ１３０、スピーカ１４０を備えている。
携帯電話機１００は、アンテナ１３０を介して絵文字コードが含まれたメールを受信し、絵文字コードに対応する着信音をスピーカ１４０から出力する。
【００２５】
また、ディスプレイ１１０は、受信したメールや携帯電話機１００に予め設定された各機能、例えば、待ち受け画面等に係る画像を表示し、操作ボタン部１２０は、テンキーや方向キー等であり、機能の切替え操作や文字入力等を行なう際に、ユーザによって押下される。
＜構成＞
図１は、本実施形態に係る携帯電話機１００の機能構成図である。
【００２６】
以下、携帯電話機１００の機能構成について図１を用いて詳細に説明する。
携帯電話機１００は、表示部１１０、入力部１２０、アンテナ１３０、無線部１４０、制御部１５０、記憶部１６０、スピーカ駆動部１７０、及びスピーカ１８０で構成されている。
ここで、表示部１１０は、液晶ディスプレイ等で構成され、受信したメールに係る画像等を表示する。
【００２７】
入力部１２０は、テンキーや方向キー等の操作ボタンで構成されており、ユーザ操作によって押下されたボタンに対応する入力信号を制御部１５０に送出する機能を有する。
アンテナ１３０は、携帯電話機１００の通信事業者の基地局と随時通信する機能を有す
る。
無線部１４０は、アンテナ１３０を介して基地局と無線通信を行い、通信事業者のサーバからメールデータ等の無線信号を受信する機能を有する。
【００２８】
制御部１５０は、ＣＰＵ及びメモリ(ＲＯＭ、ＲＡＭ)を含み、携帯電話機１００の各部を制御する機能を有する。
また、制御部１５０は、設定部１５１、表示制御部１５２、絵文字検出部１５３、及び着信音決定部１５４から構成されている。
以下、各部について説明する。
【００２９】
設定部１５１は、メモリ等に予め記憶されている各絵文字コードを分類するためのキーワードと、メモリ等に記憶されている音声データとを対応づける操作を、ユーザから入力部１２０を介して受付け、受付けたキーワードと音声データの情報(以下、「着信音設定
情報」という。)を後述する記憶部１６０に格納する機能を有する。
また、例えば、メール受信時に、絵文字に対応する着信音を鳴らす、送信者に対応する着信音を鳴らす等の動作設定をユーザから受付け、その設定情報を記憶部１６０に格納する機能を有する。
【００３０】
表示制御部１５２は、表示部１１０に画像を表示させるための制御を行う機能を有しており、例えば、絵文字コードに対応する画像を表示する場合、メモリ等に予め格納された絵文字コードと対応するフォントデータを読み出し、表示部１１０に当該フォントデータに係る画像を表示させる。
絵文字検出部１５３は、無線部１４０によって受信された無線信号がメールに係る無線信号である場合、当該無線信号をデータ信号に復調し、当該データとメモリ等に格納された絵文字コードに基づいて絵文字コードを検出する機能を有する。
【００３１】
着信音決定部１５４は、記憶部１６０に格納された着信音設定情報に基づいて、絵文字検出部１５３によって検出された絵文字コードに対応する音声データを決定する機能を有する。
記憶部１６０は、ハードディスク等の記録媒体で実現され、設定部１５１によって各種設定情報や着信音設定情報等のデータを記憶する。
【００３２】
スピーカ駆動部１７０は、着信音決定部１５４からの指示によりスピーカ１８０を起動し、着信音決定部１５４により決定された音声データをスピーカに出力させるための制御を行う機能を有する。
スピーカ１８０は、スピーカ駆動部１７０の指示に応じて音声データを既定の音量で一定時間出力する機能を有する。
【００３３】
＜データ＞
以下、携帯電話機１００内に記憶されているテーブルデータについて説明する。
図２(ａ)は、携帯電話機１００のメモリに予め記憶されている絵文字データテーブルを示している。
絵文字データテーブル２００は、キーワード２１１、絵文字No.２１２、絵文字２１３
、絵文字名２１４、及び絵文字コード２１５から構成されている。
【００３４】
ここで、キーワード２１１は、絵文字をグループ分けするためのキーワードを示す。例えば、同テーブルのキーワード２１１のＬＯＶＥ２０１は、絵文字No.“５１”、“２６
６”、“３４９”を含んでいる。
絵文字No.２１２は、携帯電話機１００における各絵文字に係るフォントデータの識別
番号である。
【００３５】
絵文字２１３は、各絵文字に係るフォントデータの画像を示しており、絵文字名２１４は、各フォントデータに係る画像の名称を示している。
絵文字コード２１５は、携帯電話機１００の通信事業者の規格によって定められている絵文字の文字コードを示している。
絵文字データテーブル２００は、ユーザが絵文字に対応する着信音を設定等する際、制御部１５０によって読み出される。
【００３６】
図２(ｂ)は、携帯電話機１００のメモリに予め記憶されている音声データテーブルを示している。
音声データテーブル３００は、音声データ３１１で構成されており、音声データ３１１は、メール受信時や電話着信時等に出力される音声データを示している。
図３(ａ)は、着信音設定情報テーブルを示している。
【００３７】
着信音設定情報テーブル４００は、キーワード４１１及び音声データ４１２を対応付けて構成されている。
ここで、キーワード４１１は、絵文字２１３が属するキーワードを示している。
また、音声データ４１２は、絵文字２１３を含むメールを受信した場合に出力する音声データである。
【００３８】
各着信音設定情報は、予めユーザが絵文字データテーブル２００のキーワードと、音声データテーブル３００の音声データ３１１を選択し、選択されたキーワードと音声データとを対応付けて設定部１５１により記憶部１６０に格納される。
図３(ｂ)は、携帯電話機１００における各動作の設定情報(以下、「動作設定情報」と
いう。)を示す動作設定情報テーブルを示している。
【００３９】
同図において、動作設定情報テーブル５００は、動作５１１、機能５１２及び設定５１３を対応付けて構成されている。
動作５１１は、携帯電話機１００における動作を示しており、例えば、メール受信や電話着信等である。
機能５１２は、動作５１１に対応する携帯電話機１００における各機能を示しており、例えば、メール受信時における機能とは、当該メールに絵文字が含まれている場合に絵文字に対応する着信音(以下、「絵文字着信音」という。)を出力する機能、又は当該メールの送信者毎の着信音(以下、「送信者別着信音」という。)を出力する機能等である。
【００４０】
設定５１３は、機能５１２に格納された各機能の設定状態を示しており、例えば、同テーブルの行５０１においては、機能５１２の“絵文字着信音”が“ＯＮ”に設定されており、行５０２においては、“送信者別着信音”が“ＯＦＦ”に設定されている。この場合、携帯電話機１００がメールを受信した際、当該メールに絵文字が含まれている場合には、絵文字着信音を出力する。
＜動作＞
以下、本発明に係る携帯電話機１００の動作について説明する。
【００４１】
図５は、携帯電話機１００の動作フロー図を示している。
携帯電話機１００は、ユーザから着信音設定情報の入力を受付けて登録し、メールを受信した際に、登録された着信音設定情報に基づいて音声データを決定し、決定した音声データを出力する。
尚、動作設定情報については、動作情報設定テーブル５００の“絵文字着信音”はＯＮに設定され、“送信者別着信音”はＯＦＦに設定されているものとして説明する。
【００４２】
ステップＳ５１において、設定部１５１は、ユーザによる入力部１２０の操作に従って、着信音設定情報の入力を受付けるための画像を表示部１１０に表示する。設定部１５１は、ユーザから入力部１２０を介して着信音設定情報の入力を受付け、受付けた着信音設定情報を記憶部１６０に格納する。
ステップＳ５２において、無線部１４０がアンテナ１３０を介してメールを受信した場合(ステップＳ５２:Ｙ)、無線部１４０は、受信したメールデータを示す無線信号を絵文
字検出部１５３に送出する。
【００４３】
また、ステップＳ５２において、無線部１４０がメールを受信しなかった場合(ステッ
プＳ５２:Ｎ)、他の動作に係る処理を実行する(ステップＳ５９)。
ステップＳ５２に続いて、絵文字検出部１５３は、無線部１４０から送出された無線信号に係るメールデータを受取ると、絵文字データテーブル２００の絵文字コード２１５を読み出し、メールデータ中に絵文字コード２１５のデータが含まれているか否か検出する(ステップＳ５３)。
【００４４】
ステップＳ５３において、絵文字検出部１５３が絵文字コード２１５のデータを検出した場合(ステップＳ５３:Ｙ)、着信音決定部１５４へ当該コードを示すデータ(以下、「コードデータ」という。)を送出する。
着信音決定部１５４は、絵文字検出部１５３からコードデータを受付けると、動作設定情報テーブル５００を読み出し、絵文字着信音の設定がＯＮであるか否かを判断する(ス
テップＳ５４)。
【００４５】
ステップＳ５４において、着信音決定部１５４が絵文字着信音の設定がＯＮであると判断した場合(ステップＳ５４:Ｙ)、着信音決定部１５４は、絵文字データテーブル２００
を読み出し、受付けたコードデータに対応するキーワードを示すデータをメモリに格納する。また、着信音決定部１５４は、着信音設定情報テーブル４００を読み出し、メモリに格納したキーワードに対応する音声データが、着信音情報テーブル４００に格納されているか否か判断する(ステップＳ５５)。
【００４６】
ステップＳ５５において、着信音決定部１５４が当該キーワードに対応する音声データがあると判断した場合(ステップＳ５５:Ｙ)、着信音決定部１５４は当該音声データを出
力対象として決定する(ステップＳ５６)。
続いて、着信音決定部１５４は、スピーカ駆動部１７０へ決定した音声データの出力を指示する信号を送出する。スピーカ駆動部１７０は、スピーカ１８０を起動し、指示された音声データをメモリから読み出し、スピーカ１８０に当該音声データを出力させる(ス
テップＳ５７)。
【００４７】
また、ステップＳ５３において、絵文字検出部１５３が絵文字コード２１５のデータを検出しなかった場合、その旨を示す信号を着信音決定部１５４に送出する(ステップＳ５
３:Ｎ)。着信音決定部１５４は、デフォルトの音声データを出力対象として決定し、その音声データを出力する旨をスピーカ駆動部１７０に指示する(ステップＳ５８)。
また、ステップＳ５４において着信音決定部１５４が、絵文字着信音の設定がＯＮでないと判断した場合(ステップＳ５４:Ｎ)、及びステップＳ５５において着信音決定部１５
４が、絵文字検出部１５３によって検出された絵文字コードに対応する音声データがないと判断した場合(ステップＳ５５:N)についても、ステップＳ５８の処理を行なう。
＜動作例＞
以下、上述した動作フロー(図５)に基づき、携帯電話機１００が図４(ｂ)に示すメールを受信した場合の動作について説明する。
【００４８】
ここで、図４(ｂ)に示すメールは、メールヘッダ４５２の件名部分に絵文字４５３を含
んでおり、絵文字４５３は、絵文字データテーブル２００のキーワード“あせり”に属するコード“Ｆ７ＣＢ”である。
尚、本実施形態における動作例においては、携帯電話機１００が受信するメールは、メール受信日時、送信者、及び件名を含むメールヘッダ４５２とメール本文４５４のデータで構成されている。携帯電話機１００は、メールヘッダ４５２のデータを受信し、メールヘッダ４５２の件名部分に絵文字データが含まれている場合に、当該絵文字データに対応する音声データを決定し、メールヘッダ４５２のデータを受信の際に、決定した音声データを出力するものとする。
【００４９】
図４(ａ１)〜(ａ３)は、ステップＳ５１において、ユーザ操作により着信音設定情報の入力操作を受付けるための画像を表示部１１０に表示し、着信音設定情報の入力を受付ける場合における画面の遷移を示している。
同図(ａ１)は、着信音設定情報の入力画面４２１を示しており、設定部１５１は、ユーザから当該入力画面４２１を表示する旨の指示を受付けた場合に、当該画面を構成する画像を表示部１１０に表示させる。
【００５０】
ここで、同図４２２は、絵文字データテーブル２００のキーワード２１１に格納されているキーワードを一覧表示させたものであり、現在、キーワード“ＬＯＶＥ”の行４２４がユーザ操作により選択されていることを示している。４２３は、“ＬＯＶＥ”に対応する絵文字を一覧表示したものである。
また、図４(ａ２)は、図４(ａ１)のキーワード“ＬＯＶＥ”が選択されている状態において、当該キーワードに対応づける音声データの名称を一覧表示し、ユーザから音声データの選択を受付ける画面を示している。
【００５１】
当該画面４３２において、４３３は、メモリに格納された音声データテーブル３００に格納された音声データの名称を一覧表示したものである。ユーザは、方向キー等を操作し、“パターン１〜パターン４”の中から所望する音声データを選択する。
図４(ａ１)において、ユーザが“パターン１”の音声データを選択した場合、図４(ａ
３)の４４２に示す様に、キーワード“ＬＯＶＥ”に対応する音声データとして“パター
ン１”を表示する。また、ユーザ操作により保存４４３が選択された場合には、設定部１５１は、記憶部１６０にキーワード“ＬＯＶＥ”の音声データとして“パターン１”を対応づけて着信音設定情報テーブル４００に格納する。
【００５２】
また、ステップＳ５２において、無線部１４０がメールヘッダ４５２のデータを示す無線信号を受信した場合(ステップＳ５２:Ｙ)、絵文字検出部１５３は、絵文字データテー
ブル２００の絵文字コード２１５のデータを読み出す。
続いて、絵文字検出部１５３は、受取った無線信号に係るメールヘッダ４５２のデータからコード“Ｆ７ＣＢ”を検出すると(ステップＳ５３:Ｙ)、動作設定情報テーブル５０
０の絵文字着信音機能の設定情報を読み出し、“ＯＮ”であると判断する(ステップＳ５
４:Ｙ)。
【００５３】
ステップＳ５４に続いて、絵文字検出部１５３は、コード“Ｆ７ＣＢ”を示すコードデータを着信音決定部１５４に送出し、着信音決定部１５４は、絵文字データテーブル２００を読み出し、受付けたコードデータが属するキーワード“あせり”を示すデータをメモリに格納する。また、着信音決定部１５４は、着信音設定情報テーブル４００を読み出し、メモリに格納したキーワード“あせり”に対応する音声データ“音パターン２”を出力対象として決定する(ステップＳ５５:Ｙ、ステップＳ５６)。
【００５４】
続いて、着信音決定部１５４は、“音パターン２”の音声データをスピーカ１８０に出力させる旨の信号をスピーカ駆動部１７０に送出し、スピーカ駆動部１７０はスピーカ１
８０を起動して、指示された音声データをスピーカ１８０に出力させる(ステップＳ５７)。
尚、上述の動作例において、受信したメールヘッダ４５２にはコード“Ｆ７ＣＢ”のみが含まれている場合について説明したが、キーワードが同じ絵文字コードが複数含まれている場合、及びキーワードが異なる絵文字コードが複数含まれている場合には、絵文字検出部１５１が最初に検出した絵文字コードに対応する音声データを出力する。
＜補足＞
以上、本発明に係る携帯電話機について実施形態に基づいて説明したが、以下のように変形することもでき、本発明は上述の実施形態で示した携帯電話機に限られないことは勿論である。
【００５５】
(１)  上述の実施形態では、メールに絵文字コードが複数含まれている場合には、絵文字検出部１５１が最初に検出した絵文字コードが属するキーワードに対応する音声データを出力対象として決定することとして説明したが、絵文字検出部１５１が検出した全絵文字コードについて、各絵文字コードが属するキーワードに対応する音声データを、検出された絵文字コードの順に出力することとしてもよい。
【００５６】
(２)  また、上述した実施形態では、メールヘッダ中に複数の絵文字コードが含まれている場合には、絵文字検出部１５１が最初に検出した絵文字コードが属するキーワードに対応する音声データを出力対象として決定することとして説明したが、検出された絵文字コードの数が最も多いキーワードに対応する音声データを出力対象として決定してもよい。また、絵文字コードの数が多いキーワードの順に、キーワードに対応する音声データを出力してもよい。
【００５７】
(３)  また、上述の実施形態では、各絵文字コードを既定のキーワードで分類し、キーワード毎に音声データを対応付けて記憶させていたが、絵文字コード毎に音声データを対応付けて記憶させてもよい。この場合において、絵文字検出部１５１が複数の絵文字コードを検出したときは、同じ絵文字コードの数が最も多い絵文字コードに対応する音声データを出力してもよい。また、上述の(２)と同様に、同じ絵文字コードの数が多い順に、各絵文字コードに対応する音声データを出力してもよい。
【００５８】
(４)  上述の実施形態では、メールヘッダのデータ受信時に、メールヘッダ中の絵文字コードが属するキーワードに対応する音声データを決定して出力したが、絵文字検出部１５１は、メールヘッダのデータ受信後にメール本文のデータを受信した場合も、メール本文のデータ中の絵文字コードを検出し、着信音決定部１５４は、メール本文のデータ受信の際に、当該絵文字コードに対応する着信音を出力してもよい。
【００５９】
(５)  また、上述の実施形態では、メールはメールヘッダとメール本文のデータで構成されているものとして説明したが、例えば、メールヘッダが無いショートメールであってもよく、ショートメールの場合には、メール本文を受信した際に、メール本文のデータ中に含まれる絵文字コードが属するキーワードに対応する音声データを決定して出力する。
(６)  上述の実施形態では、メールの受信時に音声データを一定時間の出力するものとして説明したが、設定部１５１が各音声データを出力する時間の入力をユーザから受付けてもよいし、例えば、受信したメールにキーワードが“喜び”と“怒り”の絵文字コードが含まれている場合、“喜び”より“怒り”の絵文字コードの音声データの出力時間を短くする等、キーワードや絵文字コードに応じて出力時間を変えて出力してもよい。
【００６０】
(７)  上述の実施形態では、絵文字コードがメールに含まれている場合について説明したが、ＪＩＳ規格で定められた文字、記号、特殊文字等を組み合わせて構成される文字パターン、例えば、人が頭を下げた様子を表す“ｍ（＿ ＿）ｍ”等の顔文字であってもよ
い。
この場合、文字コードの組み合わせパターンを予めメモリ等に格納しておき、ユーザ操作により当該各パターンと音声データとを対応付けて記憶する。
【００６１】
(８)  上述の実施形態では、メールに絵文字コードが含まれている場合について説明したが、例えば、メールの送信者と受信者の携帯電話機において共通して保有する写真やイメージ等の画像データでもよい。この場合も実施形態と同様に、予め画像データと音声データとを対応付けて記憶することにより、メールを受信した際に、検出手段が当該メールデータ中において既定の画像データを検出し、画像データに対応する音声データを出力する。
【００６２】
(９)  上述の実施形態では、着信音決定部１５４が決定した音声データを既定の音量で出力することとして説明したが、例えば、キーワード“あせり”の音量を他のキーワードの音量より大きくするなど、キーワードや絵文字コードに応じて音声データの音量を決定し、決定した音量に従って各音声データを出力してもよい。
(１０)  また、受信したメール中に同じ絵文字コードが複数含まれている場合、その絵文字コードに対応する音声データを、一定の時間間隔でその数に応じて繰り返し出力してもよい。
【００６３】
(１１)  また、受信したメール中に複数の絵文字コードが含まれている場合、同じキーワードに属する絵文字コードの数や、同じ絵文字コードの数に応じて音量を決定し、各音声データを決定された音量で出力してもよい。
(１２)  また、送受信者間で共通の意味が認識できるように、ＪＩＳ規格の文字、記号、特殊文字、絵文字等を示す文字コードを、ユーザが任意に組み合わせることによって構成された文字と、その意味を表す音声データとを対応付けて記憶させてもよい。
【００６４】
また、送受信者間で共通の意味を認識できるように、上記の様に組み合わせた文字や、絵文字等を一定の間隔で繰り返すパターンとそのパターンと対応する音声データを記憶させてもよい。また、そのパターンと対応する音声データの音量とを記憶させてもよい。
この構成によれば、送受信者間で共通する文字や繰り返しパターン等をメールに含めることができ、このようなメールを受信した場合でも、第三者にメールの内容を推測されないように着信音を出力することができる。
【００６５】
(１３)  また、上述の実施形態では、メール受信時の動作設定において送信者別着信音設定が“ＯＦＦ”であり、絵文字着信音設定がＯＮである場合に絵文字着信音を出力するものとして説明したが、送信者別着信音設定と絵文字着信音設定共に“ＯＮ”である場合においても適用可能である。
例えば、上記の両設定がＯＮに設定されている場合において、設定部１５１は、送信者別に音声データを選択する操作をユーザから受付け、送信者と音声データとを記憶部１６０に記憶させておく。絵文字を含むメールを受信した際、着信音決定部１５４は、当該メールの送信者に対応する音声データをスピーカに出力させ、続いて絵文字検出部１５３によって検出された絵文字に対応する音声データを出力させることとしてもよい。
【００６６】
(１４)  メール受信時に絵文字等の文字に対応する音声データの出力制御処理をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ等がある。流通、頒布されたプログラムはプロセッサに読み出され得るメモリ等に格納されることにより利用に供され、そのプロセッサがそのプログラムを実行することにより実施形態で示した携帯電話機の機能が実現されるようになる。
【産業上の利用可能性】
【００６７】
本発明に係る携帯電話機は、絵文字等を含むメールを受信することができ、メール受信の際に着信音により受信を報知することができる携帯電話機に利用され得る。
【符号の説明】
【００６８】
１００  携帯電話機
１１０  表示部
１２０  入力部
１３０  アンテナ
１４０  無線部
１５０  制御部
１５１  設定部
１５２  表示制御部
１５３  絵文字検出部
１５４  着信音決定部
１６０  記憶部
１７０  スピーカ駆動部
１８０  スピーカ
【図１】
2014147112.tif 000003
【図２】
2014147112.tif 000004
【図３】
2014147112.tif 000005
【図４】
2014147112.tif 000006
【図５】
2014147112.tif 000007
【図６】
2014147112.tif 000008
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
メールを受信する携帯電話機であって、
特定文字と音声データとを対応付けて記憶する記憶手段と、
メールを受信した場合に、当該メールを表示させるユーザ操作を待つことなく、当該メールにおいて前記特定文字を検出する検出手段と、
前記検出手段により前記特定文字が検出された場合には、前記記憶手段において、当該特定文字と対応付けられている音声データに基づく音声を、前記検出手段により前記特定文字が検出されなかった場合には、既定の音声データに基づく音声を、メールを受信した場合に報知する着信音として出力する出力制御手段とを備え、
前記メールは、メールヘッダに１種類以上の特定文字を複数含んでおり、
前記記憶手段は、前記特定文字の種類毎に対応する音声データを記憶し、
前記出力制御手段は、前記検出手段により検出されたメールヘッダの件名部分の最初の特定文字に対応する前記音声データを出力対象として決定し、当該音声データに基づく音声を、前記メールを受信した場合に報知する着信音として出力する
ことを特徴とする携帯電話機。
【請求項２】
前記特定文字の種類は複数あり、
前記検出手段は、複数種類の特定文字を検出し、検出した各特定文字の数を前記種類毎にカウントしており、
前記出力制御手段は、カウントされた特定文字の数が最大の特定文字に対応する音声データを出力対象として決定し、当該音声データに基づく音声を、前記メールを受信した場合に報知する着信音として出力する
ことを特徴とする請求項１記載の携帯電話機。
【請求項３】
前記記憶手段は、更に、前記音声データと、ユーザにより入力された、前記音声データの出力時間とを対応付けて記憶し、
前記出力制御手段は、記憶されている前記音声データとその出力時間とに基づき、決定した音声データに対応する前記出力時間だけ当該音声データに基づく音声を、前記メールを受信した場合に報知する着信音として出力する
ことを特徴とする請求項１記載の携帯電話機。
【請求項４】
前記出力制御手段は、決定した音声データに基づく音声を、当該音声データに対応する音量で、当該前記メールを受信した場合に報知する着信音として出力する
ことを特徴とする請求項１記載の携帯電話機。
【請求項５】
プログラムを実行可能な装置に、特定文字に対応する音声の出力を制御する処理を実行させるための制御プログラムであって、
特定文字と音声データとを対応付けて記憶する記憶ステップと、
メールを受信した場合に、当該メールを表示させるユーザ操作を待つことなく、当該メールにおいて前記特定文字を検出する検出ステップと、
前記検出ステップにより前記特定文字が検出された場合には、前記記憶ステップにおいて、当該特定文字と対応付けられている音声データに基づく音声を、前記検出ステップにより前記特定文字が検出されなかった場合には、既定の音声データに基づく音声を、メールを受信した場合に報知する着信音として出力する出力制御ステップとを含み、
前記メールはメールヘッダに１種類以上の特定文字を複数含んでおり、
前記記憶ステップは、前記特定文字の種類毎に対応する音声データを記憶し、
前記出力制御ステップは、前記検出ステップにより検出された、前記メールヘッダの件名部分の最初の特定文字に対応する前記音声データを出力対象として決定し、当該音声データに基づく音声を、前記メールを受信した場合に報知する着信音として出力する
ことを特徴とする制御プログラム。